(57)【要約】【課題】積層配置する際の作業性を向上でき、ブランク面積も削減する。【解決手段】収容箱（トレイ１０）は、底壁１１と、底壁１１の外縁に連続する側壁１２Ａ，１２Ｂを有する外周壁とを有する。トレイ１０には、組立状態で底壁１１および側壁１２Ａ，１２Ｂ間を傾斜して延びる傾斜壁１５を設ける。そして、第１スタッキング手段として、第１区画線１９を頂部として底壁１１から外向きに突出する係止突部１６と、端壁１３Ａ，１３Ｂから内向きに突出して係止突部１６が係止可能な係止受部３１とを設ける。また、第２スタッキング手段として、傾斜壁１５によって内向きに窪んだ凹部１７と、凹部１７に嵌合可能な凸部２５とを設ける。【選択図】図１
2015196540.tif 000002
【特許請求の範囲】
【請求項１】
底壁と、
前記底壁の外縁に連続し、組立状態で前記底壁に対して折り曲げられる壁部を有する外周壁と、
前記底壁および前記壁部と区画するために、前記底壁から前記壁部にかけて延びる切断線と、前記切断線の前記底壁側から前記底壁と前記壁部の境界線にかけて延びる区画線とを有し、組立状態で前記底壁および前記壁部間を傾斜して延びる傾斜壁と、
組立状態で前記傾斜壁によって前記底壁に形成され、前記区画線を頂部として前記底壁から外向きに突出した係止突部と、
組立状態で前記外周壁から内向きに突出し、内縁に前記係止突部が係止可能な係止受部と
を備えることを特徴とする収容箱。
【請求項２】
前記壁部は、組立状態で前記傾斜壁によって形成される内向きに窪んだ凹部を有し、前記壁部の先端縁に、前記凹部に嵌合可能な凸部を設けたことを特徴とする請求項１に記載の収容箱。
【請求項３】
底壁と、
前記底壁の外縁に連続し、組立状態で前記底壁に対して折り曲げられる壁部を有する外周壁と、
前記底壁および前記壁部と区画するために、前記底壁から前記壁部にかけて延びる切断線と、前記切断線の前記底壁側から前記底壁と前記壁部の境界線にかけて延びる区画線とを有し、組立状態で前記底壁および前記壁部間を傾斜して延びる傾斜壁と、
組立状態で前記傾斜壁によって前記壁部に形成される内向きに窪んだ凹部と、
前記壁部の先端縁に設けられ、前記凹部に嵌合可能な凸部と
を備えることを特徴とする収容箱。
【請求項４】
前記壁部の底壁側または前記底壁に、前記凸部が係止可能な係止段部を更に設けたことを特徴とする請求項２または請求項３に記載の収容箱。
【発明の詳細な説明】
【技術分野】
【０００１】
本発明は、積層配置可能な収容箱に関する。
【背景技術】
【０００２】
青果物等の物品を収容するトレイ（収容箱）は、長方形状に形成された底壁と、底壁の各縁から立設した壁部からなる外周壁とを備える。このトレイは、物品を収容し、多段に積み重ねた状態で積層配置されることが多い。積層配置状態を維持するためのスタッキング手段（構造）は、外周壁の壁部上端から突設した係止突部と、壁部の下端または底壁に設けた穴または窪みからなる係止受部とを備える。
【０００３】
特許文献１には、外板部と内板部とを有する二重壁構造の壁部の上端に突片からなる係止突部を設けるとともに、外板部と底壁との稜部に抜穴からなる係止受部を設けたトレイが記載されている。しかし、このトレイは、積層配置する際に、係止突部上に係止受部が位置するように正確にトレイを位置決めして、係止突部を係止受部に差し込む必要があるため、作業性の面で改善の余地がある。
【０００４】
特許文献２には、外板部と上板部と内板部とを有する二重壁構造の壁部を備え、底壁から外板部および上板部を経て内板部にかけて延びる一対の切断線を設けることにより、上板部から上向きに突出する係止突部を設けるとともに、壁部の外面側に内向きに窪む係止受部を設けたトレイが記載されている。しかし、このトレイは、必ず二重壁構造の外周壁を形成する必要があるため、ブランク面積が広くなり、コスト高になるという不都合がある。
【先行技術文献】
【特許文献】
【０００５】
【特許文献１】特開２００３−３１２６４０号公報
【特許文献２】実公昭６１−２８７６１号公報
【発明の概要】
【発明が解決しようとする課題】
【０００６】
本発明では、積層配置する際の作業性を向上でき、ブランク面積も削減可能な収容箱を提供することを課題とする。
【課題を解決するための手段】
【０００７】
前記課題を解決するため、第１発明の収容箱は、底壁と、前記底壁の外縁に連続し、組立状態で前記底壁に対して折り曲げられる壁部を有する外周壁と、前記底壁および前記壁部と区画するために、前記底壁から前記壁部にかけて延びる切断線と、前記切断線の前記底壁側から前記底壁と前記壁部の境界線にかけて延びる区画線とを有し、組立状態で前記底壁および前記壁部間を傾斜して延びる傾斜壁と、組立状態で前記傾斜壁によって前記底壁に形成され、前記区画線を頂部として前記底壁から外向きに突出した係止突部と、組立状態で前記外周壁から内向きに突出し、内縁に前記係止突部が係止可能な係止受部とを備える。
【０００８】
この収容箱は、底壁に対して壁部を折り曲げて組み立てると、切断線および区画線により区画された内側の傾斜壁が、底壁から外周壁の壁部にかけて傾斜して延びた状態になる。この傾斜壁は、切断線の底壁側端部から壁部との境界線までの寸法Ｓ１と、切断線の壁部側端部から壁部との境界線までの寸法Ｓ２とを加算した全長である。この傾斜壁の全長は、底辺寸法Ｓ１、高さ寸法Ｓ２の直角三角形の斜辺寸法より大きい。そのため、傾斜壁が底壁を部分的に押し出し、切断線を係止縁とし区画線を頂部とする係止突部が底壁に形成される。
【０００９】
この収容箱を積み重ねて積層配置すると、上段の収容箱の係止突部が下段の収容箱の係止受部間に位置し、上段の収容箱を横方向に移動すると、上段の収容箱の係止突部が下段の収容箱の係止受部に係止する。即ち、積み重ねる上段の収容箱を下段の収容箱上に正確に位置決めして配置する必要がないため、積層配置する際の作業性を向上できる。また、底壁および外周壁の壁部に切断線と区画線を設け、組み立てにより傾斜壁および係止突部を形成できるため、外周壁の壁部は二重壁構造にする必要はない。そのため、ブランク面積を削減し、コストダウンを図ることができる。
【００１０】
この第１発明では、前記壁部は、組立状態で前記傾斜壁によって形成される内向きに窪んだ凹部を有し、前記壁部の先端縁に、前記凹部に嵌合可能な凸部を設けることが好ましい。このようにすれば、外周壁の凹部と凸部の嵌合により上下段の収容箱を更に位置決めできるため、安定性を向上できる。
【００１１】
なお、外周壁の凹部に凸部を嵌合して積層状態に位置決めする場合、係止突部を係止受部に係止しない構成としてもよい。即ち、第２発明の収容箱は、底壁と、前記底壁の外縁に連続し、組立状態で前記底壁に対して折り曲げられる壁部を有する外周壁と、前記底壁および前記壁部と区画するために、前記底壁から前記壁部にかけて延びる切断線と、前記切断線の前記底壁側から前記底壁と前記壁部の境界線にかけて延びる区画線とを有し、組立状態で前記底壁および前記壁部間を傾斜して延びる傾斜壁と、組立状態で前記傾斜壁によって前記壁部に形成される内向きに窪んだ凹部と、前記壁部の先端縁に設けられ、前記凹部に嵌合可能な凸部とを備える。
【００１２】
第２発明の収容箱は、前記壁部の底壁側または前記底壁に、前記凸部が係止可能な係止段部を更に設けることが好ましい。このようにすれば、上下段の収容箱の係止性能を高めることができるため、傾斜壁による凹部の窪みが小さい場合でも、確実に上段の収容箱の横ズレを防止できる。
【発明の効果】
【００１３】
本発明の収容箱は、収容箱を積層配置するだけで、簡単に上段の係止突部を下段の係止受部間に配置できるため、積層配置する際の作業性を向上できる。また、底壁および壁部に設けた切断線と区画線により傾斜壁および係止突部が形成され、外周壁の壁部は二重壁構造にする必要はないため、ブランク面積を削減し、コストダウンを図ることができる。
【図面の簡単な説明】
【００１４】
【図１】本発明の第１実施形態の収容箱を積層配置する状態を示す斜視図。
【図２】収容箱の断面図。
【図３】収容箱の積層状態を示す斜視図。
【図４】収容箱の積層状態を示す部分断面図。
【図５】組立時の一工程を示す斜視図。
【図６】組立時の他の一工程を示す斜視図。
【図７】収容箱のブランクを示す平面図。
【図８】図７の収容箱の要部拡大図。
【図９】第２実施形態の収容箱の積層状態を示す斜視図。
【図１０】第２実施形態の収容箱のブランクを示す平面図。
【図１１】図１０の収容箱の要部拡大図。
【図１２】第３実施形態の収容箱を積層配置する状態を示す斜視図。
【図１３】（Ａ）は第４実施形態の収容箱の要部拡大図、（Ｂ）は第５実施形態の収容箱の要部拡大図。
【発明を実施するための形態】
【００１５】
以下、本発明の実施の形態を図面を参照して説明する。
【００１６】
（第１実施形態）
図１および図２は、本発明の第１実施形態に係る収容箱である桟付きのトレイ１０を示す。このトレイ１０は、底壁１１の外縁に、各一対の側壁（壁部）１２Ａ，１２Ｂおよび端壁１３Ａ，１３Ｂからなる外周壁を備える。本実施形態のトレイ１０には、積層配置した際の横ズレを防止するために、第１スタッキング手段として、底壁１１に係止突部１６を設けるとともに、外周壁の端壁１３Ａ，１３Ｂに係止受部３１を設けている。また、第２スタッキング手段として側壁１２Ａ，１２Ｂに、凹部１７を設けるとともに、凸部２５を設けている。なお、以下では、必要に応じて下段側をトレイ１０Ａとし、上段側をトレイ１０Ｂとして説明する。
【００１７】
トレイ１０は、紙製の段ボールシートを周知の紙器打抜装置によって、図７に示す一枚のブランクとして打ち抜いて形成される。段ボールシートは、表ライナおよび裏ライナの間に波状の中しんを配設した構成である。この中しんが延びる方向を段方向という。図７中、一点鎖線は、肉厚を圧縮するように裏ライナの側から罫を入れて形成した汎用の罫線である。また、ブランク中の実線は、表ライナから裏ライナにかけて刃を入れて形成した切断線、および、打ち抜きによる形状線（縁）である。なお、以下の説明では、必要に応じて特定の方向や位置を示す用語（例えば、「上」、「下」、「側」、「端」、「天」、「底」を含む用語）を用いるが、それらの用語の使用は図面を参照した発明の理解を容易にするためであって、それらの用語の意味によって本発明の技術的範囲が限定されるものではない。
【００１８】
図７に示すように、トレイ１０のブランクは、中央に長方形状の底壁１１を備える。底壁１１には、上下（外側縁）に第１の壁部である側壁１２Ａ，１２Ｂが連設され、左右（外端縁）に第２の壁部である端壁１３Ａ，１３Ｂが連設されている。これら側壁１２Ａ，１２Ｂおよび端壁１３Ａ，１３Ｂは、組立状態で底壁１１に対して直交方向に折り曲げられ、底壁１１の外周部を囲繞する外周壁である。側壁１２Ａ，１２Ｂおよび端壁１３Ａ，１３Ｂは、二重壁ではなく、単一の段ボールシートだけで構成される。本実施形態では、図中上下方向である側壁１２Ａ，１２Ｂ方向が段方向となるように打ち抜かれる。
【００１９】
図７および図８に示すように、底壁１１と側壁１２Ａ，１２Ｂとの境界部分には、一対の傾斜壁１５，１５と、一対の係止片２１，２１と、境界線である折曲線１４ａ〜１４ｃとが設けられている。折曲線１４ａ〜１４ｃは汎用罫線からなり、傾斜壁１５および係止片２１の形成領域を除く領域に直線上に位置するように設けられている。具体的には、一対の傾斜壁１５，１５が幅方向の中央から所定間隔をあけて形成され、各傾斜壁１５，１５の外側に隣接して一対の係止片２１，２１が設けられている。そして、傾斜壁１５，１５間である幅方向中央に折曲線１４ａが形成され、各係止片２１，２１の外側に折曲線１４ｂ，１４ｃが設けられている。
【００２０】
図１および図２に示すように、傾斜壁１５は、底壁１１に対して側壁１２Ａ，１２Ｂを折り曲げた組立状態で、底壁１１および側壁１２Ａ，１２Ｂ間にかけて傾斜して延びる。この傾斜壁１５によって底壁１１の一部が外向きに突出し、下段のトレイ１０Ａに係止可能な係止突部１６が形成される。また、下段のトレイ１０Ａの凸部２５が係止可能な凹部１７が側壁１２Ａ，１２Ｂに形成される。図７および図８に示すように、傾斜壁１５は、底壁１１および側壁１２Ａ，１２Ｂと区画するために、底壁１１から側壁１２Ａ，１２Ｂにかけて延びる切断線１８と、切断線１８の両端から境界線である折曲線１４ａの端部にかけて延びる第１および第２区画線１９，２０とを備える。
【００２１】
切断線１８は、折曲線１４ａ〜１４ｃに対して直交方向を除く傾斜角度で形成される。具体的には、底壁１１から側壁１２Ａ，１２Ｂに向けて外方向に傾斜して延びる。第１区画線１９は汎用罫線からなり、切断線１８の底壁１１側の端部から折曲線１４ａの端部にかけて傾斜して延びる。第２区画線２０は汎用罫線からなり、切断線１８の側壁１２Ａ，１２Ｂ側の端部から折曲線１４ａの同一端部にかけて延びる。
【００２２】
このように画定された傾斜壁１５は、折曲線１４ａ〜１４ｃに対して直交する方向の全長（最大）が、切断線１８の底壁１１側の端部から折曲線１４ａ〜１４ｃまでの寸法Ｓ１と、切断線１８の側壁１２Ａ，１２Ｂ側の端部から折曲線１４ａ〜１４ｃまでの寸法Ｓ２とを加算した寸法である。この傾斜壁１５の全長は、底辺寸法Ｓ１、高さ寸法Ｓ２の直角三角形の斜辺寸法より大きい。そのため、図２に示すように、組立状態では、段ボールシートの剛度（腰）も伴って、傾斜壁１５が第１区画線１９を頂部として底壁１１を部分的に押し出し、切断線１８を係止縁とする係止突部１６が底壁１１に形成される。また、傾斜壁１５が内向きに窪むことにより側壁１２Ａ，１２Ｂに凹部１７が形成される。
【００２３】
係止突部１６の突出量および凹部１７の窪み（深さ）は、切断線１８の寸法Ｓ１，Ｓ２の設定によって調整可能である。具体的には、係止突部１６は、傾斜壁１５の全長（Ｓ１＋Ｓ２）が同一である場合、形成される直角三角形の斜辺寸法を小さくすることで、突出量を大きくすることができる。即ち、底壁１１と側壁１２Ａ，１２Ｂと傾斜壁１５とが二等辺直角三角形状になるようにした状態が、係止突部１６の突出量は最も大きい。また、凹部１７は、底辺寸法Ｓ１を大きくし、底辺（底壁１１）と斜辺（傾斜壁１５）との間の角度αを小さくすることで、窪み（嵌合代）を大きくすることができる。但し、傾斜壁１５の角度αは、組み立てによって側壁１２Ａ，１２Ｂ側が膨出することを防ぐために、４５度以上とすることが好ましい。
【００２４】
図１に示すように、係止片２１は、組立状態で底壁１１に対して面一に延び、側壁１２Ａ，１２Ｂの下端から外向きに突出することにより、下段のトレイ１０Ａの凸部２５が係止可能な第１の係止段部である。また、この係止片２１の形成により、側壁１２Ａ，１２Ｂには、後述する固定壁３２を固定可能な固定孔２２が形成される。図７および図８に示すように、係止片２１は、底壁１１および側壁１２Ａ，１２Ｂと区画するために、切断線１８から折曲線１４ｂ，１４ｃに沿って平行に延びる第１切断線２３と、第１切断線２３の端部から折曲線１４ｂ，１４ｃの端部かけて延びる第２切断線２４とを備える。第２切断線２４は、折曲線１４ｂ，１４ｃに対して直交方向に延びるように形成されている。
【００２５】
図１および図７に示すように、側壁１２Ａ，１２Ｂには、組立状態での上端縁に凹部１７に嵌合するとともに、係止片２１の内側縁に係止する一対の凸部２５，２５が突設されている。この凸部２５は、側壁１２Ａ，１２Ｂの幅方向中央側を斜辺とする直角台形状をなし、組立状態で傾斜壁１５と対応するように形成されている。
【００２６】
側壁１２Ａ，１２Ｂの両端縁には、組立状態で端壁１３Ａ，１３Ｂの内面側に重畳配置される折込壁２６が連設されている。この折込壁２６と側壁１２Ａ，１２Ｂの境界部分には、汎用罫線からなる折曲線２７が設けられている。
【００２７】
端壁１３Ａ，１３Ｂと底壁１１との境界部分には、汎用罫線からなる折曲線２８が設けられている。この端壁１３Ａ，１３Ｂには、組立状態での上端縁に内向きに突出する架設桟２９が連設されている。この架設桟２９と端壁１３Ａ，１３Ｂの境界部分には、汎用罫線からなる折曲線３０が設けられている。架設桟２９の両側部は、組立状態で側壁１２Ａ，１２Ｂの凸部２５の近傍まで延びるように設定される。この架設桟２９の両側部は、先端縁（内縁）に上段のトレイ１０Ｂの係止突部１６が係止可能な係止受部３１である。
【００２８】
架設桟２９の両側縁には、組立状態で側壁１２Ａ，１２Ｂの両端外面側に重畳配置される固定壁３２が連設されている。この固定壁３２と架設桟２９との境界部分には、汎用罫線からなる折曲線３３が設けられている。この固定壁３２は、側壁１２Ａ，１２Ｂを上端から下端にかけて覆う寸法で形成されている。組立状態で固定壁３２と側壁１２Ａ，１２Ｂの間には、段ボールシートの肉厚による段差が形成される。この段差（固定壁３２の縁）は、凸部２５が係止可能な第２の係止段部である。固定壁３２の先端には、固定孔２２に外側から内側に差し込んで組立状態を維持する固定片３４が連設され、その境界部分に汎用罫線からなる折曲線３５が設けられている。
【００２９】
このトレイ１０を使用する際には、図５に示すように、底壁１１に対して側壁１２Ａ，１２Ｂを折り曲げるとともに、側壁１２Ａ，１２Ｂに対して折込壁２６をそれぞれ折り曲げる。ついで、図６に示すように、底壁１１に対して端壁１３Ａ，１３Ｂを折り曲げるとともに、端壁１３Ａ，１３Ｂに対して架設桟２９を折り曲げる。その後、架設桟２９に対して固定壁３２を折り曲げて側壁１２Ａ，１２Ｂの外面側に重畳させるとともに、固定壁３２に対して固定片３４を折り曲げる。そして、固定片３４を側壁１２Ａ，１２Ｂに形成された各固定孔２２に差し込む。これにより、図１および図２に示すように、上端開口の桟付きトレイ１０を組み立てることができる。
【００３０】
このトレイ１０は、底壁１１に対して側壁１２Ａ，１２Ｂを折り曲げることにより、底壁１１および側壁１２Ａ，１２Ｂ間にかけて延びるように傾斜壁１５が形成される。この傾斜壁１５の形成により、底壁１１に第１区画線１９を頂部として下向きに突出する係止突部１６が形成され、側壁１２Ａ，１２Ｂに内向きに窪む凹部１７が形成される。また、架設桟２９により、係止突部１６が係止可能な係止受部３１が形成される。そして、底壁１１および側壁１２Ａ，１２Ｂ間に設けた係止片２１により、凸部２５が係止可能な第１の係止段部が形成される。また、固定壁３２により、凸部２５が係止可能な第２の係止段部が形成される。
【００３１】
図３および図４に示すように、トレイ１０に物品を収容し、複数のトレイ１０を積み重ねる際には、下段のトレイ１０Ａの凸部２５，２５間に位置するようにトレイ１０Ｂを配置し、下段のトレイ１０Ａの架設桟２９上にトレイ１０Ｂの底壁１１を配置する。
【００３２】
これにより上段のトレイ１０Ｂの係止突部１６，１６が、下段のトレイ１０Ａの係止受部３１，３１間に位置する。そのため、この状態で端壁１３Ａ，１３Ｂ方向にトレイ１０Ｂが移動すると、上段のトレイ１０Ｂの下向きに突出した係止突部１６が下段のトレイ１０Ａの係止受部３１に係止し、上段トレイ１０Ｂの横ズレを防止できる。また、下段のトレイ１０Ａの凸部２５が上段のトレイ１０Ｂの凹部１７に嵌合し、横方向の移動を阻止するとともに、側壁１２Ａ，１２Ｂ方向の移動を阻止する。また、凸部２５は、側壁１２Ａ，１２Ｂから突出した係止段部である係止片２１および固定壁３２の縁にも係止する。そのため、凹部１７の窪みが小さい場合でも、確実に端壁１３Ａ，１３Ｂ方向のトレイ１０Ｂの移動を阻止できる。そのため、複数のトレイ１０を安定状態で位置決めして積層配置できる。
【００３３】
このように、本発明では、積み重ねる上段のトレイ１０Ｂを下段のトレイ１０Ａ上に正確に位置決めして配置する必要がないため、積層配置する際の作業性を向上できる。また、底壁１１および側壁１２Ａ，１２Ｂに切断線１８と区画線１９，２０を設け、組み立てにより傾斜壁１５および係止突部１６を形成できるため、側壁１２Ａ，１２Ｂおよび端壁１３Ａ，１３Ｂは二重壁構造にする必要はない。そのため、ブランク面積を削減し、コストダウンを図ることができる。
【００３４】
（第２実施形態）
図９および図１０は第２実施形態の収容箱であるトレイ１０（１０Ａ，１０Ｂ）を示す。このトレイ１０は、固定壁３２を側壁１２Ａ，１２Ｂの内面側に重畳するように配置し、この固定壁３２を傾斜壁１５の端縁に係止するようにした点で、第１実施形態と相違する。
【００３５】
具体的には、第２実施形態のトレイ１０は、第１実施形態と同様に底壁１１、および、側壁１２Ａ，１２Ｂと端壁１３Ａ，１３Ｂとからなる外周壁を備える。側壁１２Ａ，１２Ｂには折込壁２６が連設され、端壁１３Ａ，１３Ｂには架設桟２９が連設され、架設桟２９には固定壁３２が連設されている。固定壁３２には、第１実施形態に示す固定片３４が設けられていない。
【００３６】
図１０および図１１に示すように、底壁１１と側壁１２Ａ，１２Ｂの境界部分には、第１実施形態と同様に折曲線１４ａ〜１４ｃが設けられるとともに、傾斜壁１５が設けられている。また、第２実施形態では、係止片２１の代わりに打抜部３６が設けられている。この打抜部３６は、切断線１８に沿って底壁１１側に延びる打抜縁３６ａ、折曲線１４ｂ，１４ｃに沿って延びる打抜縁３６ｂ、打抜縁３６ａの端部から底壁１１側に延びる打抜縁３６ｃ、および、打抜縁３６ａ，３６ｃの端部間にかけて底壁１１側で延びる打抜縁３６ｄを備える四角形状に形成される。
【００３７】
図９および図１０に示すように、架設桟２９と固定壁３２との境界部分には、汎用罫線からなる折曲線３３が形成されている。この折曲線３３は、第１実施形態と比較して、段ボールシートの肉厚分架設桟２９側に位置するように形成され、かつ、架設桟２９の幅方向内側に向けて湾曲した曲線状に形成されている。
【００３８】
固定壁３２には、組立状態で底壁１１側かつ傾斜壁１５側に位置する内側縁に、切断線１８による傾斜壁１５の縁に係止する係止部３７が設けられている。この係止部３７は、組立状態で上側（図１０中内側）から下側（図１０中外側）に向けて横幅が広くなるように傾斜して延びる傾斜縁を備える。また、固定壁３２には、組立状態で打抜部３６に嵌まる位置決め凸部３８が突設されている。
【００３９】
この第２実施形態のトレイ１０は、第１実施形態と同様に、底壁１１に対して側壁１２Ａ，１２Ｂを折り曲げるとともに、側壁１２Ａ，１２Ｂに対して折込壁２６を折り曲げる。ついで、底壁１１に対して端壁１３Ａ，１３Ｂを折り曲げるとともに、端壁１３Ａ，１３Ｂに対して架設桟２９を折り曲げる。また、架設桟２９に対して固定壁３２を折り曲げ、この固定壁３２を側壁１２Ａ，１２Ｂの内面側に配置する。そして、折曲線３０を中心として架設桟２９を折り曲げることにより、固定壁３２を側壁１２Ａ，１２Ｂの内面側で摺動させる。これにより、図９に示すように、位置決め凸部３８を打抜部３６内に配置するとともに、係止部３７を傾斜壁１５の縁に係止することにより、組み立てることができる。
【００４０】
組立状態のトレイ１０は、第１実施形態と同様に、傾斜壁１５によって底壁１１に係止突部１６が形成され、架設桟２９によって係止突部１６が係止可能な係止受部３１が形成される。また、傾斜壁１５によって、側壁１２Ａ，１２Ｂの凸部２５が嵌合可能な凹部１７が側壁１２Ａ，１２Ｂに形成される。そして、この第２実施形態では、係止片２１および固定壁３２による第１および第２の係止段部は形成されないが、第１および第２スタッキング手段によって第１実施形態と同様の作用および効果を得ることができる。
【００４１】
（第３実施形態）
図１２は第３実施形態の収容箱であるトレイ１０（１０Ａ，１０Ｂ）を示す。このトレイ１０は、側壁１２Ａ，１２Ｂにかけて延びる架設桟２９を設ける代わり、側壁１２Ａ，１２Ｂおよび端壁１３Ａ，１３Ｂの角部にそれぞれ係止受部３１だけを設けた点で、第１実施形態と相違する。このようにした第３実施形態では、第１実施形態と同様の作用および効果を得ることができる。また、架設桟２９の代わりに係止受部３１だけを設ける構成は、固定壁３２を側壁１２Ａ，１２Ｂの内面側に配置するようにした第２実施形態のトレイ１０にも同様に適用でき、同様の作用および効果を得ることができる。
【００４２】
（第４実施形態）
図１３（Ａ）は第４実施形態の収容箱のトレイ１０の傾斜壁１５を示す。この第４実施形態では、三角形状の傾斜壁１５ではなく、四角形状の傾斜壁１５を、底壁１１および側壁１２Ａ，１２Ｂの間に設けた点で、各実施形態と相違する。
【００４３】
具体的には、第４実施形態の傾斜壁１５は、底壁１１および側壁１２Ａ，１２Ｂと区画するために、底壁１１から側壁１２Ａ，１２Ｂにかけて延びる第１の切断線１８と、第１の切断線１８の両端から幅方向中央に向けて延びる第１および第２区画線１９，２０と、各区画線１９，２０の内側端部にかけて延びる第２の切断線３９とを備える。第１区画線１９は、折曲線１４ａ〜１４ｃと平行に延びるように設けられている。第２区画線２０は、折曲線１４ａ〜１４ｃに向けて所定角度で傾斜するように設けられている。第２の切断線３９は、折曲線１４ａの端部を直交方向に通過するように設けられている。即ち、汎用罫線からなる第１区画線１９および第２の切断線３９の一部により、第１の切断線１８の底壁１１端部から折曲線１４ａにかけて延びる区画線を構成している。
【００４４】
このようにした第４実施形態では、底壁１１に対して側壁１２Ａ，１２Ｂを折り曲げることにより、各実施形態と同様に、傾斜壁１５が底壁１１から側壁１２Ａ，１２Ｂにかけて傾斜して延びる。これにより、底壁１１に、第１区画線１９を頂部として突出する係止突部１６が形成される。また、側壁１２Ａ，１２Ｂに、内向きに窪む凹部１７が形成される。そのため、各実施形態と同様の作用および効果を得ることができる。
【００４５】
（第５実施形態）
図１３（Ｂ）は第５実施形態の収容箱のトレイ１０の傾斜壁１５を示す。この第５実施形態では、第２区画線２０を設けないようにした点でのみ、第４実施形態と相違する。このようにした第５実施形態では、第４実施形態と同様の作用および効果を得ることができる。また、このように第２区画線２０を設けない構成は、第１から第３実施形態のトレイ１０に適用してもよい。即ち、底壁１１側に第１区画線１９を設ければ、側壁１２Ａ，１２Ｂ側の第２区画線２０は必ずしも設けなくてもよい。
【００４６】
なお、本発明の収容箱（トレイ１０）は、前記実施形態の構成に限定されず、種々の変更が可能である。
【００４７】
例えば、第１区画線１９は、第１から第３実施形態では汎用罫線により構成し、第４および第５実施形態では汎用罫線と切断線の組み合わせにより構成したが、汎用罫線上に切断線を設けたリード罫、逆側のライナは切断しないように裏ライナまたは表ライナの側から刃を入れて形成したハーフカット線等、希望に応じて変更が可能である。
【００４８】
また、各実施形態では、第１スタッキング手段として、底壁１１に係止突部１６を設けるとともに端壁１３Ａ，１３Ｂに係止受部３１を設け、第２スタッキング手段として、側壁１２Ａ，１２Ｂに凹部１７を設けるとともに凸部２５を設けたが、第１スタッキング手段だけを設けてもよいし、第２スタッキング手段だけを設けてもよい。
【００４９】
また、前記実施形態では、側壁１２Ａ，１２Ｂおよび端壁１３Ａ，１３Ｂを単層構造としたが、収容する物品に応じて外周壁の剛性を高める必要がある場合には、外板部と内板部とを備える二重壁構造としてもよい。また、外周壁は、側壁１２Ａ，１２Ｂおよび端壁１３Ａ，１３Ｂを備える平面視四角形状に限らず、側壁１２Ａ，１２Ｂおよび端壁１３Ａ，１３Ｂの間に面取り壁を設けた平面視八角形状等、その平面視形状は希望に応じて変更が可能である。
【００５０】
そして、前記実施形態では、紙製の段ボールシートを打ち抜いて収容箱を形成したが、樹脂製の段ボールシートを打ち抜いて形成してもよい。また、段ボールシートに限られず、単一の厚紙や樹脂シートにより形成してもよい。
【符号の説明】
【００５１】
１０，１０Ａ，１０Ｂ…トレイ
１１…底壁
１２Ａ，１２Ｂ…側壁（壁部）
１３Ａ，１３Ｂ…端壁
１４ａ〜１４ｃ…折曲線（境界線）
１５…傾斜壁
１６…係止突部
１７…凹部
１８…切断線
１９…第１区画線（区画線）
２０…第２区画線
２１…係止片（係止段部）
２５…凸部
２９…架設桟
３１…係止受部
３２…固定壁（係止段部）
【図１】
2015196540.tif 000003
【図２】
2015196540.tif 000004
【図３】
2015196540.tif 000005
【図４】
2015196540.tif 000006
【図５】
2015196540.tif 000007
【図６】
2015196540.tif 000008
【図７】
2015196540.tif 000009
【図８】
2015196540.tif 000010
【図９】
2015196540.tif 000011
【図１０】
2015196540.tif 000012
【図１１】
2015196540.tif 000013
【図１２】
2015196540.tif 000014
【図１３】
2015196540.tif 000015